(57)【要約】【課題】簡単な構成で筐体を閉じた際でも表示部を見ることを可能であると共にヒンジ部近傍のアームが折れない折り畳み式折り畳み式通信装置を提供する。【解決手段】筐体２００のヒンジ部３００近傍には開放部２３０が形成されており、筐体２００を閉じた状態においても第１の筐体１００に形成されている表示部１２０を見ることが可能であり、又、筐体２００を閉じた状態でも第１の筐体に形成されているキーを操作することが可能である。更に、第１の筐体のヒンジ部３００近傍には抑制部１８０が形成されており、筐体２００を閉じる際に筐体２００のヒンジ部３００近傍部分が前記抑制部１８０に当接し、ユーザが通話しやすい角度を維持する。【選択図】      図４
2004312099.tif 000002
【特許請求の範囲】
【請求項１】
上部筐体と、下部筐体と、前記両筐体を開閉可能に軸支する左右一対のヒンジとを有する折り畳み式通信装置において、
前記下部筐体は前記夫々のヒンジ方向に延在すると共に延在する一端が前記ヒンジの回動支点となる左右一対のアームを備え、前記アームの他端近傍に当接して前記両筐体の開放角度を所定の角度に規制する当接部を前記上部筐体に備えたことを特徴とする折り畳み式通信装置。
【請求項２】
前記下部筐体は前記両アーム間に空部を有し、
前記上部筐体は、受話部と表示部が配設される上部領域と操作部が配設される下部領域とからなり、前記ヒンジの支点が前記下部領域の中央或いは中央より上方向に設けられることにより両筐体が閉結したときに前記空部より前記操作部が露出し、前記当接部が前記下部領域の左右下端近傍に設けられたことを特徴とする請求項１に記載の折り畳み式通信装置。
【請求項３】
前記ヒンジの支点が前記下部領域の中央より上方向に設けられ、両筐体が閉結したときに前記空部より前記表示部の一部が露出することを特徴とする請求項１に記載の折り畳み式通信装置。
【発明の詳細な説明】
【０００１】
【発明の属する技術分野】
本発明は、受話部を有する上部筐体と送話部を有する下部筐体とがヒンジを軸に相互に回転して開閉可能に構成された折り畳み式通信装置に関するものである。
【０００２】
【従来の技術】
携帯電話機に代表される無線端末装置の一形態として折り畳み式の装置がある。その構成として例えば、特許文献１の折り畳み式携帯電話機が挙げられる。この折り畳み式携帯電話機は、表示部及び受話部を備える第１の筐体と開口部及び送話部を備える第２の筐体とがヒンジを軸に相互に回転して折り畳み可能に構成され、筐体を閉じた際に第２の筐体に形成された開口部を通じてユーザが外部から前記第１の筐体に配置された表示部の一部を見ることが可能である。
【０００３】
【特許文献１】
特開２０００−２４４６１６号公報（第２〜３頁及び図１、図３参照）
【０００４】
【発明が解決しようとする課題】
特許文献１のように、第２の筐体に開口部を設けると、筐体を閉じた状態でもユーザが表示部の一部を見ることが可能であるという利点があるものの、第２の筐体に開口部を設ける構成とすると、筐体を成型する為の金型が複雑になりコストがかかるだけでなく、前記第２の筐体内部には、開口部を挟むように２つの基板を配置するか或いは基板にも同様に開口部を形成する必要がある為、回路基板の構成が複雑となるという問題が生じる。
【０００５】
又、第２の筐体を閉じる際に筐体に前記開口部が形成されている為に、前記開口部の両側に位置する筐体に力が加わり、前記開口部の両端に位置する第２の筐体部分にヒビが発生する可能性や、折れる可能性がある。
【０００６】
【課題を解決するための手段】
前記目的を達成するために、請求項１記載の折り畳み式通信装置は、上部筐体と、下部筐体と、前記両筐体を開閉可能に軸支する左右一対のヒンジとを有する折り畳み式通信装置において、前記下部筐体は前記夫々のヒンジ方向に延在すると共に延在する一端が前記ヒンジの回動支点となる左右一対のアームを備え、前記アームの他端近傍に当接して前記両筐体の開放角度を所定の角度に規制する当接部を前記上部筐体に備えたことを特徴とする。
【０００７】
請求項２記載の折り畳み式通信装置は、前記下部筐体は前記両アーム間に空部を有し、前記上部筐体は、受話部と表示部が配設される上部領域と操作部が配設される下部領域とからなり、前記ヒンジの支点が前記下部領域の中央或いは中央より上方向に設けられることにより両筐体が閉結したときに前記空部より前記操作部が露出し、前記当接部が前記下部領域の左右下端近傍に設けられたことを特徴とする。
【０００８】
請求項３記載の折り畳み式通信装置は、前記ヒンジの支点が前記下部領域の中央より上方向に設けられ、両筐体が閉結したときに前記空部より前記表示部の一部が露出することを特徴とする。
【０００９】
【発明の実施の形態】
本実施例装置は、表示部を有する第１の筐体とテンキー等を有する第２の筐体とをヒンジ部を介して接続すると共に、前記第２の筐体のヒンジ部近傍に開放部を形成し、筐体を閉じた状態でユーザが前記第２の筐体の前記開放部から前記第１の筐体の表示部の一部を見ることが可能とするものである
以下に本発明の実施形態について図面を参照して説明する。図１は筐体を開いた状態での折り畳み式通信装置の外観斜視図、図４は筐体を閉じた状態での折り畳み式通信装置の外観斜視図を示している。
【００１０】
図１において、本実施例装置は第１の筐体１００と第２の筐体２００とからなり、前記第１の筐体１００と前記第２の筐体２００はヒンジ部３００を介して接続されており、図１中矢印Ａ又は矢印Ｂ方向に開閉可能である。
【００１１】
前記第１の筐体１００には、スピーカ１１０と、例えば液晶表示装置からなる表示部１２０と、通話ボタン１３０、終話ボタン１４０、決定ボタン１５０等が配置されている。
【００１２】
一方、前記第２の筐体２００には、マイク２１０と、テンキー２２０が配置されている。
【００１３】
図２は、図１に示す第１の筐体１００の斜視図を示している。図２において、第１の筐体１００のヒンジ部３００付近両端には、穴部１６０が形成されており、前記穴部１６０に後述する第２の筐体２００の突部２４０が挿入されることにより、前記第１の筐体１００と前記第２の筐体２００とが接続される。又、第１の筐体１００内部に形成された基板（図示せず）と第２の筐体２００内部に形成された基板（図示せず）とが、前記穴部１６０に挿通されたケーブル１７０によって電気的に接続されている。
【００１４】
図３は、図１に示す第２の筐体２００の斜視図を示している。図３において、第２筐体２００は略門の字状の形状となっており、前記第２の筐体２００の下部には開放構造となるべく開放部２３０が形成され、前記開放部２３０は２本の前記第２の筐体２００の下部（アーム）に挟まれている。
【００１５】
又、前記ヒンジ部３００の両端には突部２４０が形成されており、前記２つの突部２４０は互いにヒンジ部３００内方（開放部２３０側）に突出するように形成され、前記突部２４０は図２に示す穴部１６０に枢着されることにより第１の筐体１００と第２の筐体２００がヒンジ部３００を軸にして回動可能に接続される。
【００１６】
前記突部２４０の略中央にはケーブル穴部２５０が形成されており、前記ケーブル穴部２５０には、前記第１の筐体１００に形成された穴部１６０に挿通されたケーブル１７０が挿通される。
【００１７】
図４は、図１に示す折り畳み式通信装置を折り畳んだ状態を示す図、即ち、図１に示す折り畳み式通信装置の第２の筐体２００を矢印Ａ方向に閉じた状態を示している。
【００１８】
図４に示すように、筐体を折り畳んだ状態であっても、第２の筐体２００には開放部２３０が形成されている為、表示部１２０の一部が露出した状態となる。前記表示部１２０の一部を例えば着信時に電話番号や氏名を表示する領域にすると、筐体を閉じた状態でもユーザはだれからの着信であるかを認識することが可能であるだけでなく、電話番号や氏名を表示する為の表示部を別途設ける必要がない為にコストを削減することが可能である。
【００１９】
又、本実施例装置では、筐体を開いた際に第２の筐体２００が所定の位置で停止する為の独自の構成を実現している。
【００２０】
携帯電話を開く際には、図１に示すように第２の筐体２００を矢印Ｂ方向に開こうとする。しかし、本実施例装置では、前記第２の筐体２００が図１に示す位置で停止する為の抑制部１８０が前記第１の筐体１００に形成されており、前記第２の筐体２００を図４に示す閉じた状態から図１の矢印Ｂの方向に開こうとすると、前記第２の筐体２００のヒンジ部３００近傍部分が前記第１の筐体１００の抑制部１８０分に当接する為、前記第２の筐体２００が図１に示す位置で停止することとなる。
【００２１】
以下前記抑制部１８０についてより詳細に説明する。
【００２２】
図５は、図１に示す折り畳み式通信装置を矢印Ｃ方向から見た右側面図である。
【００２３】
図５に示すように、第１の筐体１００に形成されている抑制部１８０は、前記第１の筐体１００の上面（表示部１２０側の面）と比較して傾斜した構造となっている。この為、筐体を開いた際には前記第２の筐体２００が前記第１の筐体１００上面と同一平面上に存在せず、前記第２の筐体２００は前記第１の筐体１００上面に対して約１２〜１５度の角度（図５のＤで示す角度）で開いた状態となる。
【００２４】
このように第２の筐体２００が前記第１の筐体１００上面に対して所定の角度で位置することにより、ユーザが通話する際に、第２の筐体２００に配置されたマイク２１０をユーザの発する声を拾いやすい位置とすることができる。
【００２５】
又、抑制部１８０は、図５に示すように第１筐体１００下方へと延在している。この為、第２筐体２００のヒンジ部３００近傍部分が折れにくいようになっている。詳しく説明すると、抑制部１８０が図５に示すａまでの長さしかない場合には、筐体を開いた際に第２筐体２００のヒンジ部３００近傍部分のｂ部分（第２筐体２００の最も厚さが薄い部分）に集中して力が加わる。一方、本実施例装置の如く抑制部１８０が図５に示すｃ部分までの長さがあると、筐体を開く際に第２筐体２００のヒンジ部３００近傍部分にかかる力は、図５のｂ部分とｄ部分の間に分散される。また、細長い部分への大きな集中応力を避けることができる。従って本実施例装置では、第２筐体２００のヒンジ部３００近傍部分が折れにくい構成となっている。
【００２６】
以上説明したように、本実施例装置では、第２筐体２００のヒンジ部３００近傍が開放構造となるように開放部２３０が形成されている為、筐体を閉じた際には、前記開放部２３０部分に表示部１２０の一部が露出される。この為、ユーザは筐体を閉じた状態でも表示部１２０の表示を見ることが可能であり、又、着信時に発呼側の電話番号や名称を表示する為の表示部１２０を別途取り付ける必要がない。更に、ヒンジ部３００近傍を開放構造とするように簡単な構造で筐体を閉じた状態でも表示部１２０を見ることが可能な構造となっている為、特許文献１記載の技術のように、第２の筐体２００に表示部１２０を見る為の開口部を設ける必要がない。この為、複雑な金型を生成する必要がなくコストをかけずに折り畳み式通信装置を形成することができるだけでなく、第２の筐体２００内部に配置されている回路基板を複雑な構成にする必要がない。
【００２７】
又、開放部２３０が存在する為に、筐体を閉じた状態でも第１の筐体１００の通話ボタン１３０や終話ボタン１４０等を操作することが可能である為、筐体を閉じた際に使用するキーを別途設ける必要がない。
【００２８】
更に、本実施装置では、筐体を開いた際に第２の筐体２００が第１の筐体１００の上面に対して約１２〜１５度の角度（図５に示すＤの角度）で位置するように、第１の筐体１００に抑制部１８０を形成している。この為、通話を行う為にユーザが筐体を開いた際に、第２の筐体２００に配置されているマイク２１０がユーザの発する音声を拾いやすい位置とすることが可能である。又、前記抑制部１８０が存在し更に前記抑制部１８０が幅広である為に第２筐体のヒンジ部３００近傍部分を折れにくくしている。
【００２９】
尚、本実施例では、携帯電話装置を例に実施したが、折り畳み可能であるとともに筐体を折り畳んだ際に筐体の一部を見ることが可能な折り畳み式通信装置であればこれに限定されない。
【００３０】
【発明の効果】
本発明によれば、簡単な構成で筐体を閉じた際でも表示部を見ることを可能とすると共にヒンジ部近傍のアームが折れることを防止する。
【図面の簡単な説明】
【図１】本実施例装置を開いた状態での外観斜視図である。
【図２】第１の筐体１００の斜視図である。
【図３】第２の筐体２００の斜視図である。
【図４】本実施例装置を閉じた状態での外観斜視図である。
【図５】図１に示す実施例装置の側面図である。
【符号の説明】
１００  第１の筐体
１２０  表示部
１６０  穴部
１８０  抑制部
２００  第２の筐体
２３０  開放部
２４０  突部
【図１】
2004312099.tif 000003
【図２】
2004312099.tif 000004
【図３】
2004312099.tif 000005
【図４】
2004312099.tif 000006
【図５】
2004312099.tif 000007